(57)【要約】【課題】ノートブック型の堅牢コンピュータ装置を、重量・コストを抑えつつ、十分な堅牢性を有するものとする。【解決手段】コンピュータ本体１１０は、接続ポート１２３を備えず、開口部を有さない密閉構造とされ、防塵性・防滴性が確保されている。データ送受信部は、Ｗｉｒｅｌｅｓｓ  ＵＳＢ、ブルートゥース（登録商標）や、無線ＬＡＮを用いた無線通信により、外部の拡張ＩＰＲ部１２０等とのデータ通信を行う。また、内蔵バッテリは、非接触で充電を実現できるワイヤレス電力伝送方式のワイヤレス電力伝送受信部を備える。【選択図】図１
2011034493.tif 000002
【特許請求の範囲】
【請求項１】
コンピュータ装置本体と、前記コンピュータ装置本体とデータ通信可能なポートリプリケータと、を有し、
前記コンピュータ装置本体は、内外を連通する開口部を有さない密閉構造とされ、
外殻をなす筐体と、
前記筐体の内部に設けられた内蔵バッテリと、
前記内蔵バッテリから供給される電力を用い、外部と無線を介してデータ通信を行うデータ通信部と、を備え、
前記ポートリプリケータは、前記コンピュータ装置本体と無線を介してデータ通信を行うポートリプリケータ側データ通信部と、
前記ポートリプリケータに外部機器および／または外部ネットワークを接続するために開口した接続ポートと、を備えることを特徴とするコンピュータシステム。
【請求項２】
前記コンピュータ装置本体は、表示モニタと、前記表示モニタ上を操作者がタッチすることで当該コンピュータ装置本体の入力操作が行えるタッチパネル入力部と、予め定められたプログラムに基づいて前記入力部に入力された操作内容に応じた処理を実行する処理部と、を備えるタブレット端末であることを特徴とする請求項１に記載のコンピュータシステム。
【請求項３】
前記内蔵バッテリは、前記筐体の外部から、ワイヤレス電力伝送方式により充電されることを特徴とする請求項１または２に記載のコンピュータシステム。
【請求項４】
前記コンピュータ装置本体は、堅牢コンピュータであることを特徴とする請求項１から３のいずれかに記載のコンピュータシステム。
【請求項５】
内外を連通する開口部を有さない密閉構造とされ、
外殻をなす筐体と、
前記筐体の一面側に設けられた表示モニタと、
前記筐体の内部に設けられた内蔵バッテリと、
前記内蔵バッテリから供給される電力を用い、外部と無線を介してデータ通信を行うデータ通信部と、
前記表示モニタ上を操作者がタッチすることで当該コンピュータ装置の入力操作が行えるタッチパネル入力部と、
予め定められたプログラムに基づいて前記入力部に入力された操作内容に応じた処理を実行する処理部と、を備えることを特徴とするコンピュータ装置。  
【発明の詳細な説明】
【技術分野】
【０００１】
本発明は、堅牢コンピュータ装置を用いたコンピュータシステム、コンピュータ装置に関する。
【背景技術】
【０００２】
従来より、工事現場や各種の作業現場等において、防塵性、防滴性、耐衝撃性等に優れた、いわゆる堅牢コンピュータ装置が多用されている。
【０００３】
一方で、ノートブック型のコンピュータ装置においては、携帯性の向上を目的として、常に、小型化、軽量化が進んでいる。その一つの手段として、ディスプレイ側の筐体とキーボード側の筐体とを分離可能としたノートブック型のコンピュータ装置も提案されている（例えば、特許文献１〜４参照。）。
このような分離可能なコンピュータ装置は、ディスプレイ側の筐体に、内蔵バッテリや、ＣＰＵ、メモリ等を初めとする処理部や、入力手段として、タッチパネル方式の入力部等を備え、ディスプレイ側の筐体のみで使用が行える、いわゆるペンタブレットが構成されている。
【先行技術文献】
【特許文献】
【０００４】
【特許文献１】特開２００７−２７２３４１号公報
【特許文献２】特開２００２−２１５２６５号公報
【特許文献３】特開２００１−００５５６４号公報
【特許文献４】特開２０００−０９９２０４号公報
【発明の概要】
【発明が解決しようとする課題】
【０００５】
ところで、堅牢コンピュータ装置に、上記したような分離可能なコンピュータ装置の構成を適用しようとした場合、以下に示すような課題が存在する。
まず、堅牢コンピュータ装置は通常のコンピュータ装置に比べ、防塵性、防滴性の実現や落下振動衝撃対策として、様々な機構部品を追加している。例えば、防塵性や防滴性を確保するために、Ｉ／Ｏ（入出力）コネクタ部のカバー、防滴キーボード、筐体密閉のためのシーリング材を備えている。また落下振動対策ではハードディスク部のクッション材、ＬＣＤ部のクッション材、ＬＣＤ強化ガラスを追加している。このため、堅牢コンピュータ装置は全体重量が嵩むことになる
【０００６】
また、苛酷な環境で使用し続けた場合、部品劣化により防塵防滴や落下衝撃に対する性能を維持することが困難になるという問題もある。
【０００７】
そこでなされた本発明の目的は、ノートブック型の堅牢コンピュータ装置を、重量・コストを抑えつつ、十分な堅牢性を得ることを実現することにある。
【課題を解決するための手段】
【０００８】
本発明は、上記課題を解決するため、以下の手段を採用する。
すなわち、本発明のコンピュータシステムは、コンピュータ装置本体と、前記コンピュータ装置本体とデータ通信可能なポートリプリケータと、を有し、前記コンピュータ装置本体は、内外を連通する開口部を有さない密閉構造とされ、外殻をなす筐体と、前記筐体の内部に設けられた内蔵バッテリと、前記内蔵バッテリから供給される電力を用い、外部と無線を介してデータ通信を行うデータ通信部と、を備え、前記ポートリプリケータは、前記コンピュータ装置本体と無線を介してデータ通信を行うポートリプリケータ側データ通信部と、前記ポートリプリケータに外部機器および／または外部ネットワークを接続するために開口した接続ポートと、を備えることを特徴とする。
このようなコンピュータシステムにおいては、コンピュータ装置本体は、内外を連通する開口部を有さない密閉構造とされ、ポートリプリケータとは、無線を介したデータ通信を行うので、防滴性、防塵性に優れる。
【０００９】
また、本発明は、内外を連通する開口部を有さない密閉構造とされ、外殻をなす筐体と、前記筐体の一面側に設けられた表示モニタと、前記筐体の内部に設けられた内蔵バッテリと、前記内蔵バッテリから供給される電力を用い、外部と無線を介してデータ通信を行うデータ通信部と、前記表示モニタ上を操作者がタッチすることで当該コンピュータ装置の入力操作が行えるタッチパネル入力部と、予め定められたプログラムに基づいて前記入力部に入力された操作内容に応じた処理を実行する処理部と、を備えることを特徴とするコンピュータ装置とすることもできる。
【発明の効果】
【００１０】
本発明によれば、内外を連通する開口部を有さない密閉構造の筐体を有し、ポートリプリケータとは無線を介したデータ通信を行うので、コンピュータ装置本体を防滴性、防塵性に優れたものとすることができる。これにより、このようなコンピュータ装置本体によって堅牢コンピュータ装置を構成することで、堅牢コンピュータ装置を、重量・コストを抑えつつ、十分な堅牢性を有するものとすることができる。
【図面の簡単な説明】
【００１１】
【図１】本実施形態に係るコンピュータシステムの構成を示す斜視図である。
【図２】コンピュータシステムの機能的な構成を示すブロック図である。
【図３】図１のコンピュータシステムに拡張ＩＰＲ装置を組み合わせて用いる場合の例を示す図である。
【図４】図１のコンピュータシステムに他の拡張ＩＰＲ装置を組み合わせて用いる場合の例を示す図である。
【発明を実施するための形態】
【００１２】
以下、添付図面を参照して、本発明によるコンピュータシステムおよびコンピュータ装置を実施するための最良の形態を説明する。しかし、本発明はこれらの実施例のみに限定されるものではない。
図１に示すように、堅牢コンピュータ（コンピュータシステム）１００は、タブレット型のコンピュータ本体（コンピュータ装置本体）１１０と、周辺機器等とのインタフェース部を備えた拡張ＩＰＲ（ポートリプリケータ）部１２０とから構成されている。
【００１３】
コンピュータ本体１１０は、外殻をなす筐体１１１と、筐体１１１内に内蔵され、筐体１１１の一面側に表示画面を露出させたＬＣＤ等の表示モニタ１１２と、を備えている。さらに、図２に示すように、コンピュータ本体１１０は、筐体１１１内に、ＣＰＵ、メモリ等からなり、予め定められた動作プログラムに基づいて所定の処理を行う演算処理部（処理部）１３１と、動作プログラムを初めとした各種情報・データを記憶するフラッシュメモリ等からなる記憶媒体部１３２と、表示モニタ１１２に表示する情報を処理する表示情報処理部１３３と、表示モニタ１１２や演算処理部１３１、記憶媒体部１３２に供給するための電力を蓄えた内蔵バッテリ１３４と、内蔵バッテリ１３４への充電を制御する充電制御部１３５と、コンピュータ本体１１０と拡張ＩＰＲ部１２０との間で情報・データを送受信するためのデータ送受信部（データ通信部）１３６と、を備える。
【００１４】
ここで、コンピュータ本体１１０は、接続ポート１２３を有さず、内外を連痛する開口部のない密閉構造とされている。筐体１１１には、表示モニタ１１２が露出する部分、操作ボタン部分等に開口部が形成されているが、これらの部分は、シール部材等によって隙間がシールされている。これにより、コンピュータ本体１１０は、防塵性・防滴性が確保されている。
【００１５】
表示モニタ１１２は、演算処理部１３１での処理結果に基づく表示を行うことができるとともに、タッチペン等による入力受付処理を行うことができるタッチパネル入力部１３７を備えている。
これにより、コンピュータ本体１１０は、いわゆるタブレットＰＣの構成を有している。
【００１６】
データ送受信部１３６は、Ｗｉｒｅｌｅｓｓ  ＵＳＢ、ブルートゥース（登録商標）や、無線ＬＡＮを用いた無線通信により、外部（拡張ＩＰＲ部１２０）とのデータ通信を行う。
【００１７】
内蔵バッテリ１３４は、非接触で充電を実現できるワイヤレス電力伝送方式のワイヤレス電力伝送受信部１３８を備えている。
【００１８】
さらに、図１に示したように、コンピュータ本体１１０は、コンピュータ本体１１０を立てた状態で利用できるよう、筐体１１１の背面側に、折り畳み可能なサポート脚１１５を備えることもできる。
【００１９】
一方、拡張ＩＰＲ部１２０は、キーボード１２１、外部の機器やネットワーク（ＬＡＮ、電話回線）等に接続するための接続ポート１２３、コンピュータ本体１１０のデータ送受信部１３６との間で無線通信を行う、データ送受信部（ポートリプリケータ側データ通信部）１２４、を備えている。
また、拡張ＩＰＲ部１２０は、コンピュータ本体１１０の内蔵バッテリを充電するため、ワイヤレス電力伝送を行うワイヤレス電力伝送送信部１２５と、外部の交流電源から電力の供給を受ける外部電源コネクタ１２６と、をさらに備えている。拡張ＩＰＲ部１２０は、さらに、ハードディスクドライブ等の大容量記憶媒体や、光学ディスクドライブ等を備えることもできる。
【００２０】
上述したような構成の堅牢コンピュータ１００は、持ち運んで利用するときには、コンピュータ本体１１０を拡張ＩＰＲ部１２０から引き離し、コンピュータ本体１１０のみを用いる。
このとき、コンピュータ本体１１０のみを持ち運べばよいので、小型化、軽量化が図れる。また、コンピュータ本体１１０の筐体１１１には、接続ポート１２３やキーボード１２１等が備わっていないため、防塵性、防滴性が容易に確保できる。このようにして、ノートブック型の堅牢コンピュータ１００を、重量・コストを抑えつつ、十分な堅牢性を得ることができる。
【００２１】
また、コンピュータ本体１１０への電源供給を、ワイヤレス電力伝送で行う構成とすることで、非接触で内蔵バッテリ１３４の充電を行うことができる。これによって、電源供給のためのコネクタ等を設ける必要が生じず、この点においても上記効果は顕著なものとなる。
【００２２】
さらに、コンピュータ本体１１０において、接続ポート１２３や、その周りの小基板・デバイスを省略することができるので、この点においても、タブレット型堅牢コンピュータを構成するコンピュータ本体１１０の軽量化や、周辺機器との通信による熱の発生を抑えることもできる。
【００２３】
加えて、このようなコンピュータ本体１１０は、当該コンピュータ本体１１０をシンクライアント（Thin Client）端末とし、ＨＤＤを備えない構成とすることができるので、落下衝撃対策の部品を省略することができ、軽量化に大きな効果を有する。
【００２４】
ところで、図３に示すように、上記したようなコンピュータ本体１１０と拡張ＩＰＲ部１２０とは、ヒンジ１４０により回動自在に連結することもできる。この場合もコンピュータ本体１１０と拡張ＩＰＲ部１２０とは、無線によりデータ送受信を行う。電力も、コンピュータ本体１１０の内蔵バッテリ１３４に、拡張ＩＰＲ部１２０に接続した外部電源から外部電源コネクタ１２６を介してワイヤレス電力伝送送信部１２５がワイヤレス電力伝送方式により非接触で供給することができる。これにより、コンピュータ本体１１０と拡張ＩＰＲ部１２０とを、コネクタ等の配線部材で接続する必要も生じない。
【００２５】
コンピュータ本体１１０と拡張ＩＰＲ部１２０とを接続した状態においては、ヒンジ１４０を中心としてコンピュータ本体１１０と拡張ＩＰＲ部１２０とを回動させ、コンピュータ本体１１０の表示モニタ１１２を外側に位置させて、いわゆる通常のタブレットＰＣのように堅牢コンピュータ１００を用いることもできる。その場合、拡張ＩＰＲ部１２０からキーボード１２１を取り外しできる構成としておくことで、キーボード１２１を取り外して、表示モニタ１１２へのタッチペン等により入力を行う構成とすることもできる。
【００２６】
さらに、上記堅牢コンピュータ１００には、外部の汎用ＩＰＲ装置２００を拡張ＩＰＲ部１２０に接続することもできる。ここで、汎用ＩＰＲ装置２００と拡張ＩＰＲ部１２０は、コネクタ２０１により機械的に接続することもできる。
【００２７】
また、図４に示すように、上記堅牢コンピュータ１００は、外部の汎用ＩＰＲ装置３００を拡張ＩＰＲ部１２０に組み合わせて用いることもできる。ここで、汎用ＩＰＲ装置３００と拡張ＩＰＲ部１２０は、ブルートゥースや無線ＬＡＮ等の無線通信手段により、データ通信を行うようにすることができる。
さらに、汎用ＩＰＲ装置３００に、上記のごとく拡張ＩＰＲ部１２０から取り外したキーボード１２１を装着して、汎用ＩＰＲ装置３００に、入力機能を持たせることも可能である。
【００２８】
なお、上記実施形態で示したコンピュータ本体１１０や、拡張ＩＰＲ部１２０の詳細な構成については、本発明の主旨の範囲内であれば、いかなる構成を有するものとしても良い。
これ以外にも、本発明の主旨を逸脱しない限り、上記実施の形態で挙げた構成を取捨選択したり、他の構成に適宜変更することが可能である。
【符号の説明】
【００２９】
１００  堅牢コンピュータ（コンピュータシステム）
１１０  コンピュータ本体（コンピュータ装置本体）
１１１  筐体
１１２  表示モニタ
１１５  サポート脚
１２０  拡張ＩＰＲ（ポートリプリケータ）
１２１  キーボード
１２３  接続ポート
１２４  データ送受信部（ポートリプリケータ側データ通信部）
１２５  ワイヤレス電力伝送送信部
１２６  外部電源コネクタ
１３１  演算処理部（処理部）
１３２  記憶媒体部
１３３  表示情報処理部
１３４  内蔵バッテリ
１３５  充電制御部
１３６  データ送受信部（データ通信部）
１３７  タッチパネル入力部
１３８  ワイヤレス電力伝送受信部
１４０  ヒンジ
２００、３００  汎用ＩＰＲ装置
【図１】
2011034493.tif 000003
【図２】
2011034493.tif 000004
【図３】
2011034493.tif 000005
【図４】
2011034493.tif 000006